(57)【要約】      （修正有）【課題】日本らしさを表現することができ、カード受取人が、通常は隠蔽された状態にあるメッセージの隠蔽を解除することにより初めて該メッセージを視認することができるグリーティングカード及びそのカード作成用紙を提供する。【解決手段】グリーティングカード作成用紙は、正方形の紙であって、頂部と底部２１とを有する胴体２と、翼先端部３２、４２と翼元部とを有し、胴体２の底部２１に翼元部が接続された右翼３と左翼４とを備える折り鶴に折ったときに右翼３の内側面、胴体２の頂部および／または左翼４の内側面となる部分に、文字および／または図形によってメッセージが表示されている。グリーティングカード１は、グリーティングカード作成用紙により作成され、折りたたまれた折り鶴の形状を有する。【選択図】図２
0003232467.tif 000002
【実用新案登録請求の範囲】
【請求項１】
折りたたまれた折り鶴の形状のグリーティングカードであって、
前記折り鶴は、頂部と底部とを有する胴体と、翼先端部と翼元部とを有し前記胴体の前記底部に前記翼元部が接続された右翼と左翼とを備え、
前記右翼と前記左翼は、それぞれ、前記折り鶴が折りたたまれた状態で外側に配置される外側面と、前記折り鶴が折りたたまれた状態で前記胴体側に配置される内側面とを有し、
前記右翼の前記内側面、前記胴体の前記頂部および／または前記左翼の前記内側面に、文字および／または図形によってメッセージが表示されており、
前記メッセージは、グリーティングカードを受取人が受け取るまでは前記右翼と前記左翼が閉じられることによって隠蔽され、
前記右翼と前記左翼の前記翼先端部は、グリーティングカードの受取人が前記折り鶴を開くことが可能であるように自由端として構成されている、グリーティングカード。
【請求項２】
前記メッセージは、前記右翼の前記内側面、前記胴体の前記頂部および／または前記左翼の前記内側面のみに表示されている、請求項１に記載のグリーティングカード。
【請求項３】
前記メッセージは、グリーティングカードの差出人によって選択されたメッセージである、請求項１または請求項２に記載のグリーティングカード。
【請求項４】
前記メッセージは、印刷されたメッセージである、請求項１から請求項３までのいずれか１項に記載のグリーティングカード。
【請求項５】
前記右翼の外側面および／または前記左翼の外側面には模様が表示されている、請求項１から請求項４までのいずれか１項に記載のグリーティングカード。
【請求項６】
前記右翼の前記内側面と前記胴体の前記頂部と前記左翼の前記内側面と、その他の部分との境界が、折線によって区画されている、請求項１から請求項５までのいずれか１項に記載のグリーティングカード。
【請求項７】
前記右翼の前記内側面と前記胴体の前記頂部と前記左翼の前記内側面と、その他の部分は、異なる色彩および／または模様を有する、請求項１から請求項６までのいずれか１項に記載のグリーティングカード。
【請求項８】
前記右翼の前記内側面と前記胴体の前記頂部と前記左翼の前記内側面と、その他の部分は、同一の模様を有する、請求項１から請求項６までのいずれか１項に記載のグリーティングカード。
【請求項９】
正方形の紙であって、
頂部と底部とを有する胴体と、翼先端部と翼元部とを有し前記胴体の前記底部に前記翼元部が接続された右翼と左翼とを備える折り鶴に折ったときに前記右翼の前記内側面、前記胴体の前記頂部および／または前記左翼の前記内側面となる部分に、文字および／または図形によってメッセージが表示されている、グリーティングカード作成用紙。
【請求項１０】
前記メッセージは、前記折り鶴に折ったときに前記右翼の前記内側面、前記胴体の前記頂部および／または前記左翼の前記内側面となる部分のみに表示されている、請求項９に記載のグリーティングカード作成用紙。
【請求項１１】
前記メッセージは、グリーティングカードの差出人によって選択されたメッセージである、請求項９または請求項１０に記載のグリーティングカード作成用紙。
【請求項１２】
前記メッセージは、印刷されたメッセージである、請求項９から請求項１１までのいずれか１項に記載のグリーティングカード作成用紙。
【請求項１３】
前記右翼の外側面および／または前記左翼の外側面には模様が表示されている、請求項９から請求項１２までのいずれか１項に記載のグリーティングカード作成用紙。
【請求項１４】
前記右翼の前記内側面と前記胴体の前記頂部と前記左翼の前記内側面と、その他の部分との境界が、折線によって区画されている、請求項９から請求項１３までのいずれか１項に記載のグリーティングカード作成用紙。
【請求項１５】
前記右翼の前記内側面と前記胴体の前記頂部と前記左翼の前記内側面と、その他の部分は、異なる色彩および／または模様を有する、請求項９から請求項１４までのいずれか１項に記載のグリーティングカード作成用紙。
【請求項１６】
前記右翼の前記内側面と前記胴体の前記頂部と前記左翼の前記内側面と、その他の部分は、同一の模様を有する、請求項９から請求項１４までのいずれか１項に記載のグリーティングカード作成用紙。
【考案の詳細な説明】
【技術分野】
【０００１】
本考案は、折りたたまれた折り鶴の形状のグリーティングカード及びそのカード作成用紙に関し、より具体的には、折りたたまれた折り鶴の形状のグリーティングカードの両翼の内側面と胴体の頂部にメッセージを表示し、その両翼を開くことにより隠蔽されたメッセージの表示を解除できるようにしたグリーティングカード及びそのカード作成用紙に関する。
【背景技術】
【０００２】
近年海外等からの旅行者の増加により、ホテルや旅館等の宿泊施設では、客室等にメッセージを表示したグリーティングカードを置いておく等して日本的なおもてなしを行うことがある。しかし、クリスマスカードや誕生日カードに代表されるように、一般的なグリーティングカードは普通の平面紙から構成されているため、日本らしさを十分に表現ないし伝えることができないという問題があった。
【０００３】
一方、日本の伝統的な文化として、例えば折り紙や千代紙を用いた折り鶴が知られている。折り鶴は、おもてなしや復興、病気平癒を願う千羽鶴に用いられるなど、贈る相手を想いながら折られることが多いため、日本らしさを表現ないし伝えることができる有効な手段の１つである。このため、例えば実用新案登録第３１９３９７７号公報（特許文献１）や実用新案登録第３２０６１３１号公報（特許文献２）に開示されているように、翼や胴体へ図形や模様、願い事などを描くことによりその意匠性や創作性を高めた折り鶴及び折り鶴用の折り紙が開発されている。
【０００４】
しかし、特許文献１、２に記載された折り紙は、いずれも両翼を拡げた状態、すなわち完成された状態の鶴に折り上げて使用ないし受け取ることを前提とするものであるため、二つ折りのグリーティングカードのように、閉じた状態から開くことにより、初めてグリーティングカードの中身を表出させて、カード受取人の心へ驚きや感動等を持ってメッセージを伝えることができないという問題があった。
【先行技術文献】
【特許文献】
【０００５】
【特許文献１】実用新案登録第３１９３９７７号公報
【特許文献２】実用新案登録第３２０６１３１号公報
【考案の概要】
【考案が解決しようとする課題】
【０００６】
そこで、本考案は、日本らしさを表現することができ、カード受取人が、通常は隠蔽された状態にあるメッセージの隠蔽を解除することにより、初めて該メッセージを視認することができるグリーティングカード及びそのカード作成用紙を提供することを目的とする。
【課題を解決するための手段】
【０００７】
本考案者等は、日本らしさを十分に表現することができ、メッセージの内容はカード受取人が隠蔽を解除するまで視認することができないグリーティングカードの形態について鋭意検討を重ねた。その結果、グリーティングカードを折りたたまれた折り鶴の形状とし、そしてその両翼の内側面と胴体の頂部にメッセージなどを表示すれば、通常の状態では前記メッセージなどが隠蔽されて二つ折りのグリーティングカードと同等の機能を発揮できることを見出し、本考案を完成するに至った。
【０００８】
すなわち、本考案によれば、折りたたまれた折り鶴の形状のグリーティングカードであって、折り鶴は、頂部と底部とを有する胴体と翼先端部と翼元部とを有し胴体の底部に翼元部が接続された右翼と左翼とを備え、右翼左翼は、それぞれ、折り鶴が折りたたまれた状態で外側に配置される外側面と折り鶴が折りたたまれた状態で胴体側に配置される内側面とを有し、右翼の内側面、胴体の頂部および／または左翼の内側面に、文字および／または図形によってメッセージが表示されており、メッセージは、グリーティングカードを受取人が受け取るまでは右翼と左翼が閉じられることによって隠蔽され、右翼と左翼の翼先端部は、グリーティングカードの受取人が折り鶴を開くことが可能であるように自由端として構成されている、グリーティングカードが提供される。
【０００９】
また、本考案によれば、上述のグリーティングカードを作成するために、正方形の紙であって、頂部と底部とを有する胴体と、翼先端部と翼元部とを有し胴体の底部に翼元部が接続された右翼と左翼とを備える折り鶴に折ったときに右翼の内側面、胴体の頂部および／または左翼の内側面となる部分に、文字および／または図形によってメッセージが表示されている、グリーティングカード作成用紙が提供される。
【００１０】
本考案のグリーティングカードは、折りたたまれた日本の伝統的な折り鶴の形状とし、そしてその両翼の内側面と胴体の頂部にメッセージなどを表示しているので、二つ折りのグリーティングカードのように閉じた状態から両翼を開くことにより、初めてグリーティングカードの中身が表出されて、カードの受取人の心へ驚きや感動等を持ってメッセージを伝えることができる。
【００１１】
本考案のグリーティングカード及びそのカード作成用紙は、メッセージの確実な隠蔽のため、メッセージが折り鶴に折った状態で右翼の内側面、胴体の頂部および／または左翼の内側面のみに表示されていることが好ましい。
【００１２】
本考案のグリーティングカード及びそのカード作成用紙は、カード作成者の気持など、折り鶴形状のカードの利用場所に応じたメッセージを伝えることができるように、メッセージをグリーティングカードの差出人によって選択されたものとすることができる。
【００１３】
本考案のグリーティングカード及びそのカード作成用紙は、意匠性等を高めるため、メッセージが印刷されたメッセージであることが好ましく、また、右翼の外側面および／または左翼の外側面には模様が表示されていてもよい。
【００１４】
本考案のグリーティングカード及びそのカード作成用紙は、折りたたまれた折り鶴の創作等を容易にするため、右翼の内側面と胴体の頂部と左翼の内側面と、その他の部分との境界が、折線によって区画されていることが好ましい。
【００１５】
本考案のグリーティングカード及びそのカード作成用紙は、意匠性およびメッセージ等の視認性を高めるため、右翼の内側面と胴体の頂部と左翼の内側面と、その他の部分を異なる色彩および／または模様で表示してもよく、また、右翼の内側面と胴体の頂部と左翼の内側面と、その他の部分を同一の模様で表示してもよい。
【００１６】
なお、本願明細書において「色彩」、「模様」は、例えば折り鶴の全部、翼または胴体などの一部分の全体にわたり、いわゆる地の色、地模様を形成するように表示させてもよく、或いは折り鶴の全部、翼または胴体などの一部分のさらに一部においてワンポイント風に表示させてもよい。
【考案の効果】
【００１７】
以上のように、本考案のグリーティングカードは折りたたまれた日本の伝統的な折り鶴の形状とし、そしてその両翼の内側面と胴体の頂部にメッセージなどを表示しているので、日本らしさを十分に表現することができ、そしてカードの受取人が、通常は隠蔽された状態にあるメッセージの隠蔽を解除することにより初めて該メッセージを視認することで、カード差出人の想いや気持ち（メッセージ）を、驚きや感動等を持って受け取ることができるという優れた効果を奏することができる。
【図面の簡単な説明】
【００１８】
【図１】本考案の実施の形態に係るグリーティングカード作成用紙を示す平面図である。
【図２】図１に示されるグリーティングカード作成用紙で作られた、折りたたまれた折り鶴の形状のグリーティングカードを示す正面図である。
【図３】図２に示される折りたたまれた折り鶴の形状のグリーティングカードを小さく開いた状態を示す斜視図である。
【図４】図２に示される折りたたまれた折り鶴の形状のグリーティングカードを大きく開いた状態を示す斜視図である。
【図５】図４に示される大きく開いた状態の折り鶴の形状のグリーティングカードを示す平面図である。
【考案を実施するための形態】
【００１９】
以下、本考案の一実施形態に係るグリーティングカード及びそのカード作成用紙について、図面を参照しながら詳細に説明する。なお、本考案は、以下に示される実施例に限定されるものではなく、本考案の技術的思想を逸脱しない範囲内で各種の変更が可能である。
【００２０】
図１には、本考案の実施の形態に係るグリーティングカード作成用紙１０を示す平面図が表されており、図２には、図１に示されるグリーティングカード作成用紙１０で作られた、折りたたまれた折り鶴の形状のグリーティングカード１が表されている。また、図３には、図２に示される折りたたまれた折り鶴の形状のグリーティングカード１を小さく開いた状態を示す斜視図が表されており、図４には、図２に示される折りたたまれた折り鶴の形状のグリーティングカード１を大きく開いた状態を示す斜視図が表されており、そして図５には、図４に示される大きく開いた状態の折り鶴の形状のグリーティングカード１を示す平面図が表されている。
【００２１】
本実施の形態に係るグリーティングカード作成用紙１０は、折りたたまれた折り鶴の形状のグリーティングカード１（図２）を作成するためのものであり、正方形状を有している。図１に示されているように、グリーティングカード作成用紙１０の表面には、メッセージ１１と、色彩１２と、模様１３と、折線１４とが印刷されている。なお、図示しないが、本実施の形態に係るグリーティングカード作成用紙１０及び折りたたまれた折り鶴の形状のグリーティングカード１において、色彩１２および模様１３は、折り鶴の全部、翼３、４または胴体２などの一部分の全体にわたり、いわゆる地の色、地模様を形成するように印刷する必要はなく、折り鶴の全部、翼３、４または胴体２などの一部分のさらに一部においてワンポイント風に印刷してもよい。
【００２２】
メッセージ１１は、折りたたまれた折り鶴の形状のグリーティングカード１（図２）を小さく開いた時、別言すれば折り鶴形状のカード１の両翼３、４を小さく拡げた時（図３）、または折りたたまれた折り鶴の形状のグリーティングカード１（図２）を大きく開いた時、別言すれば折り鶴形状のカード１の両翼３、４を大きく拡げた時（図４、５）に「ありがとう」の文字のメッセージ１１が現われるよう、単一色で着色された色彩１２の中に白抜きで表示されている。
【００２３】
メッセージ１１は、必ずしも文字で構成されている必要はなく、例えば絵文字のように、図形、文字と図形の組み合わせによって構成されていてもよい。また、グリーティングカード１の作成者の気持など、折り鶴形状のカード１の利用場所に応じたメッセージを伝えることができるように、メッセージがグリーティングカードの差出人によって選択されたものであってもよい。
【００２４】
図示しないが、メッセージ部分は文字および／または図形によって構成されていてもよく、また、メッセージ部分自体は白抜きの他、色彩、模様またはそれらの組み合わせなど、メッセージ部分の視認性を向上させる手段によって表示されていてもよい。また、メッセージ１１が表示された折り鶴形状のグリーティングカード１の両翼３、４の内側面３０、４０および胴体２の頂部２０の領域（図５参照）の背景は、無色を含む単一色で着色されている必要はなく、１または２以上の色彩、模様若しくはそれらを組み合わせたもので表示されていてもよい。
【００２５】
模様１３は、迷路のような幾何学的模様で一様に構成されており、折り鶴形状に折った時、折り鶴形状のグリーティングカード１の両翼３、４の内側面３０、４０および胴体２の頂部２０の以外の領域（図２参照）に表示されている。模様は、一様な幾何学的模様である必要はなく、１または２以上の模様、無色を含む色彩若しくはそれらを組み合わせたものなど、意匠性を向上させる手段によって表示されていてもよい。
【００２６】
折線１４は、折り鶴形状のグリーティングカード１の両翼３、４の内側面３０、４０および胴体２の頂部２０の領域と、その他の領域との境界を区画するように形成されており、図１に示されるグリーティングカード作成用紙１０において、右上部分に形成される頭部用折線１４ａと、左下部分に形成される尻尾部用折線１４ｂと、右下部分及び左上部分に形成される両翼３、４用折り線１４ｃ、１４ｄとを備え、これらの各折線１４ａ、１４ｂ、１４ｃ、１４ｄは、それぞれ、折り鶴形状カード１の胴体２を形成する中央部分の周りに表示されている。
【００２７】
上述したような構成を備えたグリーティングカード作成用紙１０を、各折線１４ａ、１４ｂ、１４ｃ、１４ｄに従って折ると、図２に示されるような折りたたまれた折り鶴の形状のグリーティングカード１が完成する。
【００２８】
図２〜４によく示されているように、本考案の実施の形態に係る折りたたまれた折り鶴の形状のグリーティングカード１では、折り鶴（グリーティングカード１）は、頂部２０と底部２１とを有する胴体２と、翼先端部３２、４２と翼元部３３、４３とを有し胴体２の底部２１に翼元部３３、４３が接続された右翼３と左翼４とを備えている。右翼３と左翼４は、それぞれ、折り鶴が折りたたまれた状態（図２）で外側に配置される外側面３１、４１と、折り鶴が折りたたまれた状態で胴体側に配置される内側面３０、４０とを有しており、さらに右翼３の内側面４０と、胴体２の頂部２０と、左翼４の内側面４０には、「ありがとう」の文字からなるメッセージ１１が表示されている。
【００２９】
右翼３の外側面３１と左翼４の外側面４１には、迷路のような幾何学的模様１３が表示されている。また、図３によく示されているように、右翼３の内側面３０と胴体２の頂部２０と左翼４の内側面４０とその他の部分とは、色彩１２および模様１３が異なっている。なお、図示しないが、右翼３の内側面３０と胴体２の頂部２０と左翼４の内側面４０とその他の部分とは、色彩１２および／または模様１３が同一であってもよい。
【００３０】
メッセージ１１は、折り鶴形状のグリーティングカード１を受取人が受け取るまでは、図２に示されるように右翼３と左翼４が閉じられることによって隠蔽されることになる。このため、メッセージ１１は、折り鶴に折ったときに右翼３の内側面３０と、胴体２の頂部２０と、左翼４の内側面４０となる部分のみに表示されていることが好ましい。そして、右翼３と左翼４の翼先端部３２、４２は、折り鶴（グリーティングカード１）を開くことが可能であるように自由端として構成されているため、グリーティングカード１の受取人は、図３、４に示されるように、折り鶴（グリーティングカード１）の両翼３、４を拡げることによりメッセージ１１の隠蔽を解除し、初めてグリーティングカード１のメッセージ１１を視認することができる。
【符号の説明】
【００３１】
１・・・グリーティングカード（折り鶴）
１０・・・グリーティングカード作成用紙
１１・・・メッセージ
１２・・・色彩
１３・・・模様
１４、１４ａ、１４ｂ、１４ｃ、１４ｄ・・・折線
２・・・胴体
２０・・・頂部
２１・・・底部
３・・・右翼
３０・・・内側面
３１・・・外側面
３２・・・右翼先端部
３３・・・右翼元部
４・・・左翼
４０・・・内側面
４１・・・外側面
４２・・・左翼先端部
４３・・・左翼元部
【図１】
0003232467.tif 000003
【図２】
0003232467.tif 000004
【図３】
0003232467.tif 000005
【図４】
0003232467.tif 000006
【図５】
0003232467.tif 000007